(57)【要約】【課題】ブックバンドとブックカバーとを一体成形して多機能なブックカバーを提供する。【解決手段】ブックカバー１は、本を覆う覆い部２と、覆い部２の表面と裏面とを貫通する、孔部３１〜孔部３４と、孔部３１および孔部３２の各々を可動自在に貫通するリング形状の伸縮可能な伸縮バンド４１と、孔部３３および孔部３４の各々を可動自在に貫通するリング形状の伸縮可能な伸縮バンド４２と、を備えるようにした。そして、本等にこのブックカバー１を装着する場合に、伸縮バンド４１または伸縮バンド４２を、本等の表紙または裏表紙を包むように配置してブックカバーとし、本等の隣接するシートの間を通過させるように配置して栞とし、本等の全体を包むように配置してブックバンドとすることができる。【選択図】図１
0003158651.tif 000002
【実用新案登録請求の範囲】
【請求項１】
複数枚のシートを重ねて背の部分で綴じ合わせた前記複数枚のシートの両面に表紙と裏表紙とを配置して前記背の部分とは反対側の前小口が開閉できるようにして形成される情報媒体を覆う、ブックカバーであって、
前記情報媒体の前記表紙の表面と前記背の部分と前記裏表紙の表面とを覆い、前記表紙の前小口で前記表紙の裏面に折り返し、前記裏表紙の前小口で前記裏表紙の裏面に折り返すことができるようにした、覆い部と、
伸縮可能な伸縮バンドと、を備え、
前記覆い部は、
前記情報媒体の前記表紙の表面を覆う部分に離間して形成される第１の孔部および第２の孔部、または、前記情報媒体の前記裏表紙の表面を覆う部分に離間して形成される第３の孔部および第４の孔部、のいずれかの一方、または、その両方を有し、
前記伸縮バンドは、
前記第１の孔部および前記第２の孔部を貫通して可動自在とされるリング形状に形成される第１の伸縮バンド、または、前記第３の孔部および前記第４の孔部を貫通して可動自在とされるリング形状に形成される第２の伸縮バンド、のいずれかの一方、または、その両方を有する、
ブックカバー。
【請求項２】
前記第１の孔部（または、前記第３の孔部）を貫通して前記覆い部の裏面に沿った前記第１の伸縮バンド（または、前記第２の伸縮バンド）の部分と、前記第２の孔部（または、前記第４の孔部）を貫通して前記覆い部の裏面に沿った前記第１の伸縮バンド（または、前記第２の伸縮バンド）の部分と、を反対方向に２つに分岐させ、
前記２つに分岐された前記第１の伸縮バンド（または、前記第２の伸縮バンド）を前記覆い部の裏面と前記情報媒体の前記表紙（または、前記裏表紙）の表面との間に通し、
前記情報媒体を開く場合には前記第１の伸縮バンド（または、前記第２の伸縮バンド）を前記情報媒体の前記表紙（または、前記裏表紙）の裏面側に通すようにして前記覆い部を前記情報媒体に装着し、前記情報媒体を閉じる場合には前記第１の伸縮バンド（または、前記第２の伸縮バンド）を前記情報媒体の前記裏表紙（または、前記表紙）の表面に通すようにして前記覆い部を前記情報媒体に装着する、請求項１に記載のブックカバー。
【請求項３】
前記第１の孔部（または、前記第３の孔部）を貫通して前記覆い部の裏面に沿った前記第１の伸縮バンドの部分と前記第２の孔部（または、前記第４の孔部）を貫通して前記覆い部の裏面に沿った前記第１の伸縮バンド（または、前記第２の伸縮バンド）の部分とを反対方向に２つに分岐させ、
前記２つに分岐された前記第１の伸縮バンド（または、前記第２の伸縮バンド）を前記覆い部の裏面と前記情報媒体の前記表紙（または、前記裏表紙）の表面との間に通し、
前記情報媒体を開く場合には前記第１の伸縮バンド（または、前記第２の伸縮バンド）を前記情報媒体の隣接するシートの間に通して目印を付けるとともに前記覆い部を前記情報媒体に装着し、前記情報媒体を閉じる場合には前記第１の伸縮バンド（または、前記第２の伸縮バンド）を前記情報媒体の前記裏表紙（前記表紙）の表面に通すようにして前記覆い部を前記情報媒体に装着する、請求項１に記載のブックカバー。
【請求項４】
前記第１の孔部（または、前記第３の孔部）を貫通して前記覆い部の裏面に沿った前記第１の伸縮バンド（または、前記第２の伸縮バンド）の部分と、前記第２の孔部（または、前記第４の孔部）を貫通して前記覆い部の裏面に沿った前記第１の伸縮バンド（または、前記第２の伸縮バンド）の部分と、を反対方向に２つに分岐させ、
前記２つに分岐された前記第１の伸縮バンド（または、前記第２の伸縮バンド）を前記覆い部の表面との間に通し、
前記情報媒体を開く場合には前記第１の伸縮バンド（または、前記第２の伸縮バンド）を前記情報媒体の前記表紙（または、前記裏表紙）の裏面側に通すようにして前記覆い部を前記情報媒体に装着し、前記情報媒体を閉じる場合には前記第１の伸縮バンド（または、前記第２の伸縮バンド）を前記情報媒体の前記裏表紙（または、前記表紙）の表面に通すようにして前記覆い部を前記情報媒体に装着する、請求項１に記載のブックカバー。
【請求項５】
前記第１の孔部（または、前記第３の孔部）を貫通して前記覆い部の表面に沿った前記第１の伸縮バンド（または、前記第２の伸縮バンド）の部分と、前記第２の孔部（または、前記第４の孔部）を貫通して前記覆い部の表面に沿った前記第１の伸縮バンド（または、前記第２の伸縮バンド）の部分と、を反対方向に２つに分岐させ、
前記情報媒体を開く場合には前記２つに分岐された前記第１の伸縮バンド（または、前記第２の伸縮バンド）を前記情報媒体の表紙（または前記情報媒体の裏表紙）を挟みこんだ覆い部の裏面に伸びるように配置して前記覆い部を前記情報媒体に装着し、前記情報媒体を閉じる場合には２つに分岐された前記第１の伸縮バンド（または、前記第２の伸縮バンド）を前記情報媒体の裏表紙の表面（または前記情報媒体の表紙の表面）に伸びるように配置して前記覆い部を前記情報媒体に装着する、請求項１に記載のブックカバー。
【請求項６】
前記覆い部は、屈曲性を有する材料で形成され、前記孔部の周辺に補強手段が設けられる、請求項１に記載のブックカバー。
【請求項７】
前記覆い部は、屈曲性を有する普通紙で形成され、前記孔部の周辺に補強手段として鳩目が設けられる、請求項６に記載のブックカバー。
【請求項８】
前記伸縮バンドは、その一部が伸縮部材で形成される、請求項１に記載のブックカバー。
【請求項９】
前記伸縮バンドは、扁平形状とされる、ゴムまたは合成ゴムで形成される、請求項１に記載のブックカバー。
【考案の詳細な説明】
【技術分野】
【０００１】
本考案は、本、手帳、ノート等に用いられるブックカバー関し、特に、ブックバンドが付属するブックカバーに関するものである。
【背景技術】
【０００２】
本、手帳、ノート等（以下では、本で代表して説明をする）を保護するために、従来から種々のブックカバーが用いられている。これらのブックカバーは、本の表紙（平）と裏表紙（地）と複数の紙面の端面を綴じた部分（背）とを覆うようにして本を保護するものである。一般的には、ブックカバーは、紙、布等で形成されている。ブックカバーを本に装着するに際しては、表紙の前小口（背と反対側の端部）、および、裏表紙の前小口の部分で、ブックカバーの両端を折り返して、本を包むようにしている。
【０００３】
また、ブックカバーとともに用いられるブックバンドが提案されている（特許文献１を参照）。図１３は特許文献１に記載のブックバンドを示す図である。図１３に示すブックバンドは、板状部材１０とバンド部材１１とを有している。板状部材１０は折り目４０を有し、折り目４０によってバンド固定部２０と保持部３０とが形成されている。また、バンド部材１１はバンド固定部２０に固定されている。そして、保持部３０をブックカバー８２のポケット部８２ａに挿入し、板状部材１０を折りたたんだ状態で、折り目４０が手帳８０の綴じ部８５ａ側となるようにしながら、保持部３０を手帳８０の表紙８６の内側で保持し、綴じ部８５ａと開閉部８５ｂの間をバンド部材１１で巻き付けて、手帳８０が閉じた状態を維持する。このようにして、本を開いて使用する時には必要なページを開くことができるとともに（図１３を参照）、図１４に図示すように、本の未使用時には閉じた状態にしておくことができるものである。
【先行技術文献】
【特許文献】
【０００４】
【特許文献１】特開２００９−２１４８９７号公報
【考案の概要】
【考案が解決しようとする課題】
【０００５】
特許文献１に記載のブックバンドでは、別部材であるブックカバーと組み合わせて使用しなければならず、ブックバンドとブックカバーとを組み合わせて用いることは不便であった。また、ブックバンドは、ブックカバーのポケット部８２ａに挿入して用いられる。ここで、ポケット部８２ａは予め袋状に形成されているので、本の厚みに応じて、ポケット部８２ａの位置が異なるブックカバーを個別に用意しなければならなかった。このために、同一サイズのブックカバーとブックハンドとを組み合わせて種々の厚さの本に対応することは困難であった。
【０００６】
また、バンド部材１１は固定部２６に固定されているために、本を使用しない閉じた状態（図１４を参照）では、バンド部材１１の伸び量に応じた力が、固定部２６より上方のバンド固定部２０の部分、および、ブックカバーのポケット部８２ａと板状部材１０との接触部との境界に加わる構造となっている。そこで、バンド固定部２０を有するブックバンドの板状部材１０としては、強度が高い部材であるクラフト材を用いなければならなかった（引用特許文献１の段落「００１７」を参照）。また、この伸縮に応じた力に耐えるためにブックカバー８２も剛性の高い部材で形成しなければならなかった。このために、本に装着しない状態で小物入れ等に入れてのブックバンドとブックカバーとの持ち運びにおいては、例えば、巻き取るなどして小さくすることができず、持ち運びは不便であった。
【０００７】
また、文庫本では１５０ｍｍ×１０６ｍｍ、新書判では１７４ｍｍ×１０６ｍｍ、Ｂ６判では１８２ｍｍ×１２８ｍｍ、等と本の大きさには、規格があるものの、その厚さは、本ごとに区々である。剛性の高い部材で形成したブックカバーでは、ブックカバーのブックバンドを備えない側の端部に折り返し部を設けるようにして、本の厚みに応じて折り返しの位置を変えようとしても剛性の高い部材を折り返して本の厚みの違いに対応することは困難であった。
【０００８】
上述した問題点に鑑み、本考案の解決しようとする課題は、ブックバンドとブックカバーとを一体成形して取り扱いを容易とし、持ち運びを容易とするためにブックバンドとブックカバーとを屈曲自在な柔らかい材料を用いても形成可能とし、広範囲な本の厚さに対応可能とする、ブックカバーを提供するものである。
【課題を解決するための手段】
【０００９】
このような課題を解決するために、本考案のブックカバーは、以下のように構成されている。複数枚のシートを重ねて背の部分で綴じ合わせた前記複数枚のシートの両面に表紙と裏表紙とを配置して前記背の部分とは反対側の前小口が開閉できるようにして形成される情報媒体を覆う、ブックカバーであって、前記情報媒体の前記表紙の表面と前記背の部分と前記裏表紙の表面とを覆い、前記表紙の前小口で前記表紙の裏面に折り返し、前記裏表紙の前小口で前記裏表紙の裏面に折り返すことができるようにした、覆い部と、伸縮可能な伸縮バンドと、を備え、前記覆い部は、前記情報媒体の前記表紙の表面を覆う部分に離間して形成される第１の孔部および第２の孔部、または、前記情報媒体の前記裏表紙の表面を覆う部分に離間して形成される第３の孔部および第４の孔部、のいずれかの一方、または、その両方を有し、前記伸縮バンドは、前記第１の孔部および前記第２の孔部を貫通して可動自在とされるリング形状に形成される第１の伸縮バンド、または、前記第３の孔部および前記第４の孔部を貫通して可動自在とされるリング形状に形成される第２の伸縮バンド、のいずれかの一方、または、その両方を有する。
【考案の効果】
【００１０】
本考案のブックカバーによれば、ブックバンドとして機能させることができる伸縮バンドが付属するブックカバーを提供することができる。また、伸縮バンドは、覆い部に配された孔部に対して可動自在とされるために、覆い部に剛性が要求されず、屈曲自在な材料によって、ブックカバーを形成することが可能となる。屈曲自在な材料を用いる場合には、持ち運びが容易とでき、情報媒体の厚みの広範囲な変化に対応可能となる。
【図面の簡単な説明】
【００１１】
【図１】実施形態のブックカバーの販売時の状態を示す図である。
【図２】本に装着しない状態で、折り返し部で折り返した状態のブックカバーを示す図である。
【図３】ブックカバーを本に装着した状態を示す図である。
【図４】ブックカバーを本に装着した状態を別の角度から見た斜視図である。
【図５】伸縮バンドを栞として使用する使用例を示す図である。
【図６】伸縮バンドを栞として使用し、もう一つの伸縮バンドをブックバンドとして使用する使用例を示す図である。
【図７】孔部の周囲からの亀裂の発生を防止するために、孔部の周囲を強化する別の手段を示す図である。
【図８】本の表紙または裏表紙に対応する、いずれかの一方の側に２本の伸縮バンドを設ける変形例を示す図である。
【図９】実施例の変形例を示す図である。
【図１０】実施例の変形例を示す図である。
【図１１】実施例の変形例を示す図である。
【図１２】実施例の変形例を示す図である。
【図１３】従来技術を示す図である。
【図１４】従来技術を示す図である。
【考案を実施するための形態】
【００１２】
考案を実施するための形態のブックカバーは、種々の情報媒体に対応が可能である。ここで、情報媒体とは、本、手帳、ノート、写真ホルダー、ファイルホルダーを含み、複数枚のシートを重ねて背の部分で綴じ合わせ、複数枚のシートの両面に表紙と裏表紙とを配置し、背の部分とは反対側の前小口が開閉できるようにしたものの総称である。情報媒体が本である場合にはシートは印刷された紙であり、手帳、ノートの場合にはシートは書き込み可能部が残された紙であり、写真ホルダーの場合にはシートは定型の印画紙をファイルできる透明ホルダーであり、ファイルホルダーの場合にはシートは定型の紙をファイルできる透明ホルダーである。
【００１３】
実施形態のブックカバーは、これらの情報媒体を覆い保護するとともに後述するような多機能性を有するものである。実施形態のブックカバーは、覆い部と、少なくとも２つの孔部と伸縮バンドを有している。
【００１４】
覆い部は、情報媒体の表紙の表面と情報媒体の背（シートの綴じ合わせの部分）と裏表紙の表面とを覆い、表紙の前小口（背の反対部であり、綴じ合わせられておらず開閉することができる部分）で表紙の裏面に折り返し、裏表紙の前小口で裏表紙の裏面に折り返すことができるようにされている。覆い部の材質を屈曲可能な材料、例えば，柔軟で薄い紙等とすることによって、使用者が、ブックカバーを購入後の使用開始時に任意の位置で裏面に折り返すことができる。
【００１５】
実施形態のブックカバーは覆い部と伸縮バンドとを備えている。覆い部には、第１の孔部および第２の孔部、または、第３の孔部および第４の孔部、のいずれか一方、または、その両方を備えるようにしている。伸縮バンドは、第１の孔部および第２の孔部を貫通してリング状とされる第１の伸縮バンド、または、第３の孔部および第４の孔部を貫通してリング状とされる第２の伸縮バンド、のいずれか一方、または、その両方を有するようにしている。第１の孔部〜第４の孔部は同一の構造とすることができ、第１の伸縮バンドと第２の伸縮バンドとは同一の構造とすることもできる。この場合には、覆い部の裏と表の構造に実質的な差異はなく、リバーシブル機能を有するブックカバーとできる。
【００１６】
情報媒体の背の部分はシートの開閉方向に所定の厚みを有して、シートの開閉方向とは垂直方向に延びるようにされてシートが綴じ合わされている。第１の孔部と第２の孔部は、情報媒体の表紙の表面と当接する範囲のブックカバーの覆い部に設けられ、第３の孔部と第４の孔部は、情報媒体の裏表紙の表面と当接する範囲のブックカバーの覆い部に設けられている。第１の孔部〜第４の孔部はいずれも覆い部の表面と裏面とを貫通している。
【００１７】
第１の伸縮バンドは、第１の孔部および第２の孔部の各々を可動自在に貫通する。すなわち、第１の伸縮バンドの伸縮、位置移動に際して、第１の孔部および第２の孔部の各々は障害とならない。逆の見方をすれば、第１の伸縮バンドの伸縮、位置移動に際して、孔部の周囲、覆い部には、なんらストレスが加わらない。同様にして、第２の伸縮バンドは、第３の孔部および第４の孔部の各々を可動自在に貫通する。第１の孔部および第２の孔部が設けられない場合には第１の伸縮バンドは不要であり、第３の孔部および第４の孔部が設けられない場合には第２の伸縮バンドは不要である。
【００１８】
このような構成を有するので、実施形態のブックカバーは、情報媒体を閉じた状態に保つブックバンドとして機能させることができる。また、情報媒体の任意の隣接するシートの間に伸縮バンドを通して目印をつける栞として機能させることができる。第１の伸縮バンドと第２の伸縮バンドとを有する場合には、以下の９種類の組み合わせの形態が可能となる。
【００１９】
まず、通常のブックカバーと同様の機能を発揮させることができるが、通常のブックカバーにはない伸縮バンドを備えることによって、第１の伸縮バンドが情報媒体の表紙とブックカバーの覆い部との当接を確実なものとし、第２の伸縮バンドが情報媒体の裏表紙とブックカバーの覆い部との当接を確実なものとするので、情報媒体の保護が確実なものとなる（第１の形態）。第１の伸縮バンドを裏表紙にまで伸ばすとともに、第２の伸縮バンドを表紙にまで伸ばす場合には、第１の伸縮バンドおよび第２の伸縮バンドの両方をブックバンドとして機能させ、情報媒体を閉じる力を倍化させることができる（第２の形態）。第１の伸縮バンドおよび第２の伸縮バンドの両方を栞として機能させ、情報媒体の２箇所に栞を挿入することができる（第３の形態）。第１の伸縮バンドをブックバンドとして機能させ、第２の伸縮バンドを栞として機能させることができる（第４の形態）。また、第２の伸縮バンドをブックバンドとして機能させ、第１の伸縮バンドを栞として機能させることができる（第５の形態）。このようにして、ブックバンドと栞の両方の役目をさせることができる。
【００２０】
さらに、第１の伸縮バンドを情報媒体の表紙に装着し、第２の伸縮バンドをブックバンドとして機能させることができる（第６の形態）。また、第１の伸縮バンドを情報媒体の表紙に装着し、第２の伸縮バンドを栞として機能させることができる（第７の形態）。同様にして、第２の伸縮バンドを情報媒体の裏表紙に装着し、第１の伸縮バンドをブックバンドとして機能させることができる（第８の形態）。また、第２の伸縮バンドを情報媒体の裏表紙に装着し、第１の伸縮バンドを栞として機能させることができる（第９の形態）。
【００２１】
ブックカバーとして機能させる形態とするには、以下のように伸縮バンドを配置する。離間して配置された二つの孔部のうちの一方の孔部を貫通した伸縮バンドの部分と他方の孔部を貫通した伸縮バンドの部分とを、相互に反対方向に２つに分岐させ、情報媒体に当接する覆い部の面と情報媒体の表紙の表面（または裏表紙の表面）との間を通し、情報媒体の表紙の裏面側（または裏表紙の裏面側）を通して伸縮バンドを一巡させ、覆い部を前記情報媒体に装着する。
【００２２】
ここで、表紙の裏面側を通してとは、表紙の裏面を伸縮バンドで直接に圧接する場合（折り返し部が伸縮バンドに達しない場合）と、折り返された覆い部を介して表紙の裏面を伸縮バンドで圧接する場合（折り返し部が伸縮バンドに達する場合）との両方を含むものである。また、表紙の表面側を通してとは、表紙の表面を伸縮バンドで直接に圧接する場合（折り返し部が伸縮バンドに達しない場合）と、折り返された覆い部を介して表紙の表面を伸縮バンドで圧接する場合（折り返し部が伸縮バンドに達する場合）との両方を含むものである。
【００２３】
上述した第１の形態〜第９の形態と伸張バンドの関係について説明をする。ブックバンドとして機能させる形態とするには、以下のように伸縮バンドを配置する。離間して配置された二つの孔部のうちの一方の孔部を貫通した伸縮バンドの部分と他方の孔部を貫通した伸縮バンドの部分とを、相互に反対方向に２つに分岐させ、情報媒体に当接する覆い部の面と情報媒体の表紙の表面（または裏表紙の表面）との間を通し、情報媒体の裏表紙の表面（または表紙の表面）を通して、覆い部を情報媒体に装着する。
【００２４】
栞として機能させる形態とするには、以下のように伸縮バンドを配置する。離間して配置された二つの孔部のうちの一方の孔部を貫通した伸縮バンドの部分と他方の孔部を貫通した伸縮バンドの部分とを、相互に反対方向に２つに分岐させ、情報媒体に当接する覆い部の面と情報媒体の表紙の表面（または裏表紙の表面）との間を通し、情報媒体の隣接するシートの間を通して、覆い部を情報媒体に装着する。
【００２５】
そして、これらの伸縮バンドの配置の組み合わせによって、上述した９種類の組み合わせの形態とすることができる。
【００２６】
また、伸縮バンドの伸びる方向は、前小口と平行するようにしても良く、前小口に対して斜め方向としても良い。また、ブックカバーに配される伸縮バンドの本数は、２本以上の複数本とするのみなく、１本であっても良い。伸縮バンドが１本の場合には、上述した第１の実施形態〜第９の実施形態のうち、２本の伸縮バンドを用いない実施形態についてのみ実施が可能である。また、伸縮バンドが２本以上の複数本である場合には、上述した第１の実施形態〜第９の実施形態を含むさらに多くの実施形態が可能となる。
【００２７】
上述した第１の形態〜第９の形態の具体的な形態として、上述した具体的な形態とは異なる具体的形態が可能である。異なる具体的形態が存在する理由は、ブックカバーを情報媒体に装着する場合に、覆い部に配された２つの孔部を可動自在に貫通する伸縮バンドをどのように本の周りに巡らせるかという点に相違があるからである。この場合においても、伸縮バンドの伸縮によって覆い部の孔部の周辺部にストレスが生じることがない。以下、異なる具体的形態について説明をする。
【００２８】
ブックカバーとして機能させるには、離間して配置された二つの孔部のうちの一方の孔部を貫通した伸縮バンドの部分と他方の孔部を貫通した伸縮バンドの部分とを、相互に反対方向に２つに分岐させ、覆い部の表面を通し、情報媒体の表紙の裏面側（または裏表紙の裏面側）を通して伸縮バンドを一巡させる形態として、覆い部を前記情報媒体に装着する。
【００２９】
ここで、表紙の裏面側を通してとは、表紙の裏面を伸縮バンドで直接に圧接する場合（折り返し部が伸縮バンドに達しない場合）と、折り返された覆い部を介して表紙の裏面を伸縮バンドで圧接する場合（折り返し部が伸縮バンドに達する場合）との両方を含むものである。また、表紙の表面側を通してとは、表紙の表面を伸縮バンドで直接に圧接する場合（折り返し部が伸縮バンドに達しない場合）と、折り返された覆い部を介して表紙の表面を伸縮バンドで圧接する場合（折り返し部が伸縮バンドに達する場合）との両方を含むものである。
【００３０】
ブックバンドとして機能させるには、離間して配置された二つの孔部のうちの一方の孔部を貫通した伸縮バンドの部分と他方の孔部を貫通した伸縮バンドの部分とを、相互に反対方向に２つに分岐させ、覆い部の表紙側（裏表紙側）の表面を通し、覆い部の裏表紙側（表紙側）の裏面を通して伸縮バンドを一巡させる形態とする。
【００３１】
栞として機能させるには、離間して配置された二つの孔部のうちの一方の孔部を貫通した伸縮バンドの部分と他方の孔部を貫通した伸縮バンドの部分とを、相互に反対方向に２つに分岐させ、覆い部の表紙側（裏表紙側）の表面を通し、情報媒体の隣接するシートの間を通して、覆い部を情報媒体に装着する。
【００３２】
そして、これらの伸縮バンドの配置の組み合わせによって、上述した９種類の組み合わせの形態とすることができる。以下、情報媒体が本である場合を例として、図面を参照して、実施例のブックカバーについて説明をする。
【００３３】
（実施例）
図１は、ブックカバー１の販売時の状態を示す図である。図１（ａ）はブックカバー１の覆い部２の本に接しない面である表面２ａの側から見た図である。また、図１（ｂ）は覆い部２の本に接する面である裏面２ｂの側から見た図である。使用前の販売状態においては、覆い部２の表面２ａの側と裏面２ｂの側との構造上の区別はない。ブックカバー１の覆い部２は紙、布、革、プラスチック等の素材で形成することができ、紙の場合には、クラフト紙のような厚手の紙ではなく、折り返し線５１と折り返し線５２で容易に折り返せる程度の柔軟性を有する素材である普通紙（薄紙）を用いることもできる。また、覆い部２は柔軟性と強度とを両立させるために、２枚以上の複数枚の普通紙を接着することなく重ね合わせるようにしたものであっても良い。なお、折り返し線５１と折り返し線５２は、折り返しの位置を示すものであるが販売時には折り目をつけることなく、積層して保管する場合の厚みを薄くすることができる。そして、ブックカバーの購入者が購入後の使用時に任意の位置で折り返すようにすることができる。
【００３４】
実施例のブックカバー１は、文庫本に対応するものであり、覆い部２の縦方向の長さ（２×Ａ＋Ｌ：図１（ａ）を参照）は１５５ｍｍとされ、覆い部２の横方向の長さ（２×Ｂ＋Ｗ：図１（ａ）を参照）は３７５ｍｍとされ、長さＡは１０ｍｍ、長さＬは１３５ｍｍ、長さＷは１７５ｍｍ、長さＢは１００ｍｍとされている。
【００３５】
覆い部２の素材としては、通常の印刷、包装等に用いられる普通紙であり、厚みが５０μｍ〜２ｍｍ程度の厚さの範囲が好適であるが。これよりも薄くても、これよりも厚くても、十分な強度を有し、折り返し線５１、折り返し線５２で容易に折り返せるものであれば、採用することに何ら問題はない。例えば、パラフィン紙（グラシン紙）を用いる場合には薄くても十分な強度を保つことができる。実施例では覆い部２の厚みは、２００μｍとされている。
【００３６】
覆い部２の表面２ａは、外部から視認できる側の面であるので、表面２ａには、装飾を施した印刷をしても良く、また、表面２ａと裏面２ｂの両面に印刷を施しても良い。両面を体裁の良い面とすることによって、表面２ａを外側にするのみならず、裏面２ｂを外側にするようにして、リバーシブル機能を有することができる。
【００３７】
覆い部２には孔部が設けられ、鳩目３１、鳩目３２、鳩目３３、鳩目３４によって各々の孔部の周囲が補強され、覆い部２が孔部の周囲から破れることを防止している。鳩目３１と鳩目３２とは、ミゾ（本の平または地と、本の背との境界線）と平行する直線上、すなわち、前小口と平行する直線上に配列されている。鳩目３３と鳩目３４も同様に、ミゾと平行する直線上に配列されている。鳩目３１と鳩目３２とは、本の表紙に接する位置に配置されるように、図１（ａ）では、左端に寄って配置されている。鳩目３３と鳩目３４とは、本の裏表紙に接する位置に配置されるように、図１（ａ）では、右端に寄って配置されている。
【００３８】
鳩目３１と鳩目３２の各々を貫通するように伸縮バンド４１が配置されている。伸縮バンド４１は、リング形状になるように、伸縮バンドの各々の端部が相互に接着され、または、結び合わされている。伸縮バンド４１は長手方向に伸縮するような部材、例えば、ゴム、合成ゴム等で形成されている。伸縮バンド４１の縮んだときの長さは、鳩目３１と鳩目３２との相互の距離を近づけるようなストレスを覆い部２に与えず、このストレスによって覆い部２に変形が生じない程度の十分な長さとされている。望ましくは、本に装着しない状態で、伸縮バンド４１がたるむことなく、かつ、覆い部２に変形が生じないような長さに設定されている。例えば、鳩目３１と鳩目３２との最短部分の長さをＬ（図１（ａ）を参照）とすれば、伸縮バンド４１の最も望ましい長さは、２×Ｌと等しい長さである。
【００３９】
鳩目３３と鳩目３４についても、鳩目３１、鳩目３２と同様に、リング形状の伸縮バンド４２が各々を貫通するように配置されている。伸縮バンド４２は長手方向に伸縮するような、ゴム、合成ゴム等で形成されている。伸縮バンド４２の縮んだときの長さは、鳩目３３と鳩目３４との相互の距離を近づけるようなストレスを与えず、このストレスによって覆い部２に変形が生じない程度の十分の長さとされている。望ましくは、本に装着しない状態で、伸縮バンド４２がたるむことなく、かつ、覆い部２に変形が生じないような長さに設定されている。伸縮バンド４２の最も望ましい長さは、２×Ｌと等しい長さである。
【００４０】
また、本を装着した場合において、伸縮バンド４１を用いて本を閉じる状態を維持するに際して、鳩目３１と鳩目３２との位置が前小口（背の反対側の端部）により近い方が縮力の小さい伸縮バンド４１で本を閉じる力を大きくすることができる。また、本の厚さが薄い場合であっても、伸縮バンド４１の位置が前小口の位置よりも前（背から遠い位置）に出ることがない位置設定として、ブックバンドとしての機能を確保することが望ましい。伸縮バンド４２を貫通させる鳩目３３と鳩目３４の位置についても同様である。具体的には、ブックバンドとしての良好な機能を確保するためには、伸縮バンドの位置は、ミゾから前小口の間の距離を１とすると、前小口寄り１／５以内が望ましい。
【００４１】
また、長さＬは、伸縮バンドの単位長当たりの伸び縮み可能な量に応じて、適宜に定めることができる。例えば、単位長当たりの伸び縮み可能な量が大きい場合には長さＬは小さくすることができる。一方、単位長当たりの伸び縮み可能な量が小さい場合には長さＬを大きくしなければ、伸縮バンドによって本を一巡させることができない。
【００４２】
伸縮バンド４１、伸縮バンド４２の各々は扁平構造とされており、覆い部２の端部（図１に示される上下の端部）に対して伸縮バンドの与える縮力が広い範囲に分散するようになされている。
【００４３】
折り返し線５１と折り返し線５２は、折り返しの位置を示すものであるが、上述したように、予め折筋をつけておくようにしても良いが、ブックカバー１を使用する使用者が使用時において折筋をつけ、本を包むようにしても良い。
【００４４】
図２は、本に装着しない状態で、折り返し線５１と折り返し線５２で折り返した状態のブックカバー１を示す図である。図２（ａ）は覆い部２の表面２ａの側から見た図、図２（ｂ）は覆い部２の裏面２ｂの側から見た図である。図２（ｂ）に示されるように、折り返し線５１、折り返し線５２の位置で覆い部２の裏面２ｂの２面が向かい合うように折り返されている。本にブックカバー１を装着した状態では、本の表紙（平）の部分が、折り返し線５１で折り返した裏面２ｂの２面の間に挿入され、本の裏表紙（地）の部分が折り返し線５２で折り返した裏面２ｂの２面の間に挿入される。
【００４５】
また、本にブックカバー１を装着した状態では、鳩目３１を貫通したリング形状の伸縮バンド４１は、裏面２ｂと本の表紙の表面の間を通り、折り返された表面２ａの側を通り（折り返した部分が伸縮バンド４１に達している場合）、さらに、裏面２ｂと本の表紙の表面の間を通り、鳩目３２を貫通する（図４（ａ）を参照）。図２（ｂ）に示す状態では、伸縮バンド４１の長さは、図１（ｂ）に示す状態と比べて、４×長さＡと等しい長さだけ長くなり、伸び量に応じた縮力が発生して、この縮力によって本の表紙に覆い部２を密着させる。そして、本の表紙の部分が覆い部２によって挟まれた状態で固定される。ここで、ブックカバー１が本に装着された状態では、伸び量は本の厚みの２倍だけさらに伸びることとなる。また、同様にして、伸縮バンド４２の伸び量に応じた縮力によって、本の裏表紙の部分が覆い部２によって挟まれた状態で固定されることとなる。
【００４６】
長さＬは上述したように適宜に定め得るものであり、この結果、長さＡも適宜定め得ることとなる。長さＡは、鳩目の位置から覆い部２の端（図２の上下の端）までの長さである。したがって、長さＡが長くなれば、覆い部２の端部に発生するストレスが大きくなり変形を生じさせ、長さＡが短くなれば、伸び量が小さくなり縮力も弱くなり本を固定する力が減少する。よって、伸び量が大きくなって縮力が大きくなりすぎない範囲に、長さＡを設定することが望ましい。なお、伸縮バンド４１は、鳩目３１、鳩目３２の内部を可動可能となるように貫通しているで、鳩目および孔部の周囲に伸縮に応じた力が作用することはない。同様に、伸縮バンド４２は、鳩目３３、鳩目３４の内部を可動可能となるように貫通しているで、鳩目および孔部の周囲に伸縮バンドの伸縮に応じた力が作用することはない。
【００４７】
図３は、ブックカバー１を本３に装着した状態を示す図である。図３（ａ）はブックカバー１の側から見た図であり、図３（ｂ）は本３の側から見た図である。上述したようにして、ブックカバー１は、本３の表紙（平）が伸縮バンド４１によって固定され、本３の裏表紙（地）が伸縮バンド４２によって固定されて、装着されている。
【００４８】
図４は、ブックカバー１を本３に装着した状態を別の角度から見た斜視図である。図４（ａ）の破線楕円内の拡大図は、本３の表紙の表面３ａａと覆い部２の表面２ａと覆い部２の裏面２ｂと伸縮バンド４１との相互の位置関係を示す図である。
【００４９】
図４（ａ）に示すように、上方に伸びた伸縮バンド４１は、鳩目３１を貫通し、本３の表紙（平）の表面３ａａと覆い部２の裏面２ｂとの間を通り、本３の表紙の上側端部と覆い部２の上側端部を通り、覆い部２の表面２ａに接して下方まで伸び、本３の表紙の下側端部と覆い部２の下側端部を通り、本３の表紙の表面３ａａと覆い部２の裏面２ｂとの間を通り、鳩目３２を貫通し、覆い部２の表面２ａに接して上方へ伸び、再び鳩目３１を貫通するリング形状となっている。このとき発生する伸縮バンド４１の縮力によって、覆い部２と本３の表紙とが固定される。同様にして、伸縮バンド４２の縮力によって、覆い部２と本３の裏表紙とが固定される。
【００５０】
図４（ｂ）は、覆い部２と本３の表紙とが伸縮バンド４１によって固定され、覆い部２と本３の裏表紙とが伸縮バンド４２によって固定されている状態を示す図である。図４（ｂ）は、本３の表紙の裏面３ａｂと本３の裏表紙の裏面３ｂｂの側から見た図である。
【００５１】
図５は、伸縮バンド４２を栞として使用する使用例を示す図である。図５に図示するように、伸縮バンド４２を現在読んでいる頁を包むように架けて、次に読み進める箇所のマークである栞として機能させることができる。同様にして、伸縮バンド４１を栞として使用することもでき、この場合には２箇所に栞としての伸縮バンドを挿入することができる。
【００５２】
図６は、伸縮バンド４２を栞として使用し、もう一つの伸縮バンドである伸縮バンド４１をブックバンドとして使用する使用例を示す図である。図６（ａ）は本３の表紙の側から見た図であり、図６（ｂ）は本３の裏表紙の側から見た図である。このようにして、栞を用いながら、ブックバンドを同時に用いて、保管時、または、小物入れ、鞄等の中に入れての移動時に本が開いたままになり、本の内部が汚染されることを防止することができるとともに、現在読んでいる部分等をマークすることができる。
【００５３】
（実施例の変形例）
上述した実施例の種々の変形例が実施可能である。まず鳩目の変形例について説明をする。覆い部の孔部にはめ込まれた鳩目は孔部の周辺から亀裂が発生するのを防止する目的を有するものである。実施形態のブックカバーでは、原理的には、伸縮バンドは孔部の中で自在に可動するので、伸縮バンドの伸縮によって孔部の周囲に力が加わることはない。従って孔部の周囲から亀裂を発生させ難い材質を覆い部として用いるのであれば、必ずしも鳩目等の孔部の周囲を補強する補強手段を用いる必要はない。しかしながら、孔部の周囲は、伸縮を繰り返す伸縮バンドと接触することから、普通紙を覆い部として用いるときには亀裂が発生し易いので実施例の変形例では補強手段を用いている。
【００５４】
図７は、実施例の変形例のブックカバー１１を示す図である。孔部の周囲からの亀裂の発生を防止するために、孔部１３１〜孔部１３４の周囲を強化するために鳩目とは別の手段を示す図である。図７は、ブックカバー１１の覆い部２１の裏面２１ｂ側から見た図である。図７の破線で囲った部分拡大図に示すように、孔部１３４を設けるに際して孔部の位置に存在した部材を折り曲げて、孔部１３４の周囲に接着することによって、孔部１３４の周囲を補強して亀裂が生じ難くしている。他の孔部である、孔部１３１、孔部１３２、孔部１３３、についても同様の処理がなされて孔部の周囲の補強がなされている。
【００５５】
図８は別の実施例の変形例のブックカバー１２を示す図である。図８は、ブックカバーの覆い部２２の表面２２ａ側から見た図である。図８に示すように、伸縮バンドについては、本の表紙に対応する側に１本、本の裏表紙に対応する側に１本、各々設けるのではなく、本の表紙に対応する側、または、本の裏表紙に対応する側のいずれか一方に２本設けるようにしても良い。
【００５６】
外側（前小口寄り）の伸縮バンド４２はブックバンドとして用いるために、伸び量に対して伸縮バンドの幅の大きさに比例した強い縮力が得られる幅広のゴム材で形成されるのに対して、内側の伸縮バンド２４１は栞として用いるために伸び量に対する縮力が弱い幅狭のゴム材で形成されている。幅狭のゴム材の伸縮に応じた力は弱いので、覆い部２２の端部にストレスを生じさせることが少なくされている。また、伸縮バンド２４１の幅に合わせて孔部２３１、孔部２３２は小さくされている。また、栞の機能として、特定の頁をマークできれば良いので、伸縮バンド２４１の位置には特に限定がなく、前小口から離れ背の部分に近い位置に孔部２３１、孔部２３２を設けることもできる。
【００５７】
図９は実施例の別の変形例である、複数のサイズの本（情報媒体）に利用することができる、ブックカバーを示す図である。図９はブックカバーの覆い部２３の表面２３ａ側から見た図である。図９に示すように覆い部２３の上側部の折り返し線６１で長さＡ２の長さだけ折り返し、覆い部２３の上側部の折り返し線６１で長さＡ２の長さだけ折り返した場合には文庫本のサイズに合うブックカバーとして使用できる。また、覆い部２３の上側部の折り返し線６１で折り返さず、覆い部２３の上側部の折り返し線６２で折り返さない場合にはＢ６版のサイズに合うブックカバーとして使用できる。なお、折り返し線６１、折り返し線６２の位置は任意に定め得る。このようにして、１種類のブックカバーを複数のサイズの本に適用できるようにすることができる。
【００５８】
図１０は実施例のまた別の変形例である、一方の（第１の）孔部および他方の（第２の）孔部を結ぶ直線、すなわち伸縮バンドの伸びる方向は、前小口と平行することが要求されなくとも、ブックバンドおよび栞としての機能を果し得るものである。伸縮バンドの伸縮力によって、情報媒体が開くことを防止して、ブックバンドとして機能させられる構成とすれば十分である。１０（ａ）は覆い部２４の表面２４ａ側から見た図であり、１０（ｂ）は覆い部２５の表面２５ａ側から見た図である。
【００５９】
図１０（ａ）では、伸縮バンド４１と伸縮バンド４２とが同方向に傾斜して配されている。図１０（ｂ）では、伸縮バンド４１と伸縮バンド４２とが逆方向に傾斜して配されている。図１０（ｃ）は、１０（ａ）に示すように配置される、第１の伸縮バンドと第２の伸縮バンドとを備える覆い部２４を有するブックカバーを本に装着して、ブックバンドとして用いる場合の図である。このように、覆い部２４を平面展開した場合に伸縮バンド４１と伸縮バンド４２とを同方向に傾斜して配置すると、本に装着した場合には２つの伸縮バンドが交差するように配置をすることができる。このような交差は位置された、伸縮バンド４１と伸縮バンド４２とによってブックバンドとしての機能をより効果的なものとすることができる。
【００６０】
さらに、また、図示はしないが、伸縮バンドは２本設けるのではなく、１本のみを設けるようにしても良い。例えば、図１に示すブックカバー１、図７に示すブックカバー１１、図９に示すブックカバー１３、図１０に示すブックカバー１４、ブックカバー１５、では、伸縮バンド４１または伸縮バンド４２のいずれか一方のみを設けるようにしても良い。図８に示すブックカバー１２では伸縮バンド４２のみを用いるようにしても良い。
【００６１】
また、伸縮バンドは、その全体が伸縮可能な部材で形成されているもののみならず、伸縮バンドの一部に伸縮部材を有し、伸縮バンドの一部が伸縮するものであっても良い。例えば、伸縮バンドの一部分に色彩豊かな布を用い、その他の部分はゴム材を用いるようにしても良い。
【００６２】
また、ブックカバーの覆い部の材質については、紙、布、革、プラスチック等以外として種々のエコロジー素材で形成することができる。
【００６３】
上述したように、実施形態のブックカバーは、安価な通常紙を材料として用いることが可能である。また、構造が簡単であるために製造コストも安価なものとすることが可能である。そして、栞として用い、本等が開くのを防止するブックバンドとして用いることができるのみならず、本等の厚みが変化しても同一のブックカバーで対応が可能という利点を有している。
【００６４】
また、覆い部を本に装着するに際して伸張バンドをどのように本の周りに巡らせるかについては、今まで述べた配置とは異なる配置も可能であるので、これについて以下に説明をする。
【００６５】
既に説明した実施例では、図１に示すブックカバー１を本に装着するに際して、覆い部２の表面２ａの側の孔部３１と孔部３２との間に存在する第１の伸縮バンドの部分が表面２ａの側に露出するようにして用い、覆い部２の表面２ａの側の孔部３３と孔部３４との間に存在する第２の伸縮バンドの部分が表面２ａの側に露出するようにして用いた（図２を参照）。本を開く状態の形態（図３、図４を参照）、栞として用いる状態の形態（図５を参照）、ブックバンドとして用いる状態の形態（図６を参照）、のいずれにおいても、同様の伸張バンドの形態を採用した。すなわち、第１の孔部と第２の孔部との間に存在する伸縮バンドの部分が覆い部の表面の側に露出するようにして用いた。
【００６６】
図７に示すブックカバー１１、図８に示すブックカバー１２、図９に示すブックカバー１３、図１０（ａ）に示すブックカバー１４、図１０（ｂ）に示すブックカバー１５、においても、本に装着しての使用時においては、覆い部の表面の側の孔部と覆い部の表面の側の孔部との間に存在する伸縮バンドの部分が表面の側に露出するようにして用いた。すなわち、貫通して覆い部の裏面に沿った伸縮バンドの部分が覆い部の裏面と本の表紙（または、裏表紙）の表面との間を通過させるようにして、第１の孔部と第２の孔部との間に存在する伸縮バンドの部分が覆い部の表面の側に露出するようにして用いた。
【００６７】
これらの、ブックカバー１、ブックカバー１１、ブックカバー１２、ブックカバー１３、ブックカバー１４、ブックカバー１５の各々について、上述したのとは異なる伸縮バンドの用い方が可能である。すなわち、貫通して覆い部の表面に沿った伸縮バンドの部分に対して、第１の孔部と第２の孔部との間に存在する伸縮バンドの部分は、覆い部の裏面に沿い表面の側に露出することがないようにして用いることができる。図１に示すブックカバー１で代表して以下説明をする。
【００６８】
図１１は、図２に対応する図である。図１１における伸張バンド４１、伸張バンド４２は、図２におけると異なる形態とされている。本は図１１では、図２におけると同様に図示されていない。図１１（ａ）は覆い部２の表面２ａの側から見た図、図１１（ｂ）は覆い部２の裏面２ｂの側から見た図である。図２（ｂ）に示されるように、折り返し線５１、折り返し線５２の位置で覆い部２の裏面２ｂの２面が向かい合うように折り返されている。本にブックカバー１を装着した状態では、本の表紙（平）の部分が、折り返し線５１で折り返した裏面２ｂの２面の間に挿入され、本の裏表紙（地）の部分が折り返し線５２で折り返した裏面２ｂの２面の間に挿入される。ここで、図１１（ａ）と図２（ａ）とを対比すれば、明らかなように、図２では、孔部３１と孔部３２との間に伸縮バンド４１が表面２ａ側に露出している。これに対して、図１１では、孔部３１と孔部３２との間に伸縮バンド４１が露出すること無く裏面２ｂ側に配されている（図示せず）。
【００６９】
図１２は、図４に対応する図である。図１２は、ブックカバー１を本３に装着した状態を示す斜視図である。図１２の破線楕円内の拡大図は、本３の表紙の表面３ａａと覆い部２の表面２ａと覆い部２の裏面２ｂと伸縮バンド４１との相互の位置関係を示す図である。
【００７０】
図１２に示すように、本を開いた状態とすることができるブックカバーとして機能させる場合には、鳩目３１で縁取りされた孔部を貫通して覆い部２の表面２ａに沿って上方に伸びた伸縮バンド４１は、本３の表紙３ａを挟みこんだ覆い部２の裏面２ｂに至り、裏面２ｂに沿って本３の表紙と覆い部２の下側端部を通り、覆い部２の表面２ａに配された鳩目３２で縁取りされた孔部を貫通して、本３の表紙３ａの表面３ａａと覆い部２の裏面２ｂとの間を通り、覆い部２の表面２ａに沿って上方に伸び、鳩目３２で縁取りされた孔部に至る。伸縮バンド４２についても同様な経路を経て一巡する。
【００７１】
図１２は、ブックカバーとして機能させる場合を示すものであるが、図５に示すような栞として機能させる場合においても、図１２で述べたと同様な経路を通るような形態としてその機能を果すことができる。すなわち、鳩目３１で縁取りされた孔部を貫通して覆い部２の表面２ａに沿って上方に伸びた伸縮バンド４１は、本３の隣接するシートの間を通過し、覆い部２の表面２ａに沿って上方に伸び、鳩目３２で縁取りされた孔部に至る。伸縮バンド４２についても同様な経路を経て一巡する。
【００７２】
また、図６に示すようなブックバンドとして機能させる場合にも、図１２で述べたと同様な経路を通るような形態としてその機能を果すことができる。すなわち、鳩目３１で縁取りされた孔部を貫通して覆い部２の表面２ａに沿って上方に伸びた伸縮バンド４１は、本３の裏表紙の表面に沿い下方に伸び、覆い部２の表面２ａに沿って上方に伸び、鳩目３２で縁取りされた孔部に至る。伸縮バンド４２についても同様な経路を経て一巡する。
【００７３】
さらに、図７に示すブックカバー１１、図８に示すブックカバー１２、図９に示すブックカバー１３、図１０（ａ）に示すブックカバー１４、図１０（ｂ）に示すブックカバー１５、の各々において、図１２に示すと同様の経路で伸縮バンドを配置して、ブックカバー、栞、ブックエンドとして、各々を機能させることができる。
【００７４】
要するに、実施形態のブックカバーは、離間して配置される孔部を有する覆い部と、孔部の各々を可動自在に貫通するリング形状の伸縮可能な伸縮バンドと、を備える。そして、複数枚数のシートを綴じ合わせた情報媒体にこのブックカバーを装着する場合に、伸縮バンドを、情報媒体の表紙または裏表紙を包むように配置してブックカバーとし、本等の隣接するシートの間を通過させるように配置して栞とし、本等の全体を包むように配置してブックバンドとすることができるものである。
【符号の説明】
【００７５】
１、１１、１２、１３、１４、１５  ブックカバー、  ２、２１、２２、２３、２４、２５  覆い部、  ２ａ、２２ａ、２３ａ、２４ａ、２５ａ  覆い部の表面、  ２ｂ、２１ｂ  覆い部の裏面、  ３  本、  ３ａ  本の表紙（平）、  ３ａａ  本の表紙（平）の表面、  ３ａｂ  本の表紙（平）の裏面、  ３ｂｂ  本の裏表紙（地）の裏面、  ３１、３２、３３、３４  鳩目（孔部）、  ４１、４２、２４１  伸縮バンド、  ５１、５２、６１、６２  折り返し線、  １３１、１３２、１３３、１３４、２３１、２３２  孔部
【図１】
0003158651.tif 000003
【図２】
0003158651.tif 000004
【図３】
0003158651.tif 000005
【図４】
0003158651.tif 000006
【図５】
0003158651.tif 000007
【図６】
0003158651.tif 000008
【図７】
0003158651.tif 000009
【図８】
0003158651.tif 000010
【図９】
0003158651.tif 000011
【図１０】
0003158651.tif 000012
【図１１】
0003158651.tif 000013
【図１２】
0003158651.tif 000014
【図１３】
0003158651.tif 000015
【図１４】
0003158651.tif 000016
【手続補正書】
【提出日】平成21年12月27日(2009.12.27)
【手続補正１】
【補正対象書類名】実用新案登録請求の範囲
【補正対象項目名】全文
【補正方法】変更
【補正の内容】
【実用新案登録請求の範囲】
【請求項１】
複数枚のシートを重ねて背の部分で綴じ合わせた前記複数枚のシートの両面に表紙と裏表紙とを配置して前記背の部分とは反対側の前小口が開閉できるようにして形成される情報媒体を覆う、ブックカバーであって、
前記情報媒体の前記表紙の表面と前記背の部分と前記裏表紙の表面とを覆い、前記表紙の前小口で前記表紙の裏面に折り返し、前記裏表紙の前小口で前記裏表紙の裏面に折り返すことができるようにした、覆い部と、
伸縮可能な伸縮バンドと、を備え、
前記覆い部は、
前記情報媒体の前記表紙の表面を覆う部分に離間して形成される第１の孔部および第２の孔部、または、前記情報媒体の前記裏表紙の表面を覆う部分に離間して形成される第３の孔部および第４の孔部、のいずれかの一方、または、その両方を有し、
前記伸縮バンドは、
前記第１の孔部および前記第２の孔部を貫通して可動自在とされるリング形状に形成される第１の伸縮バンド、または、前記第３の孔部および前記第４の孔部を貫通して可動自在とされるリング形状に形成される第２の伸縮バンド、のいずれかの一方、または、その両方を有する、
ブックカバー。
【請求項２】
前記第１の孔部を貫通して前記覆い部の裏面に沿った前記第１の伸縮バンドの部分と、前記第２の孔部を貫通して前記覆い部の裏面に沿った前記第１の伸縮バンドの部分と、を反対方向に２つに分岐させ、
前記２つに分岐された前記第１の伸縮バンドを前記覆い部の裏面と前記情報媒体の前記表紙の表面との間に通し、
前記情報媒体の前記表紙の裏面側に通すようにして前記覆い部を前記情報媒体に装着して形成され、
または、
前記第３の孔部を貫通して前記覆い部の裏面に沿った前記第２の伸縮バンドの部分と、前記第４の孔部を貫通して前記覆い部の裏面に沿った前記第２の伸縮バンドの部分と、を反対方向に２つに分岐させ、
前記２つに分岐された前記第２の伸縮バンドを前記覆い部の裏面と前記情報媒体の前記裏表紙の表面との間に通し、
前記情報媒体の前記裏表紙の裏面側に通すようにして前記覆い部を前記情報媒体に装着して形成される、
請求項１に記載のブックカバー。
【請求項３】
前記第１の孔部を貫通して前記覆い部の裏面に沿った前記第１の伸縮バンドの部分と、前記第２の孔部を貫通して前記覆い部の裏面に沿った前記第１の伸縮バンドの部分と、を反対方向に２つに分岐させ、
前記２つに分岐された前記第１の伸縮バンドを前記覆い部の裏面と前記情報媒体の前記表紙の表面との間に通し、
前記情報媒体の前記裏表紙側に通すようにして前記情報媒体を閉じるとともに前記覆い部を前記情報媒体に装着して形成され、
または、
前記第３の孔部を貫通して前記覆い部の裏面に沿った前記第２の伸縮バンドの部分と、前記第４の孔部を貫通して前記覆い部の裏面に沿った前記第２の伸縮バンドの部分と、を反対方向に２つに分岐させ、
前記２つに分岐された前記第２の伸縮バンドを前記覆い部の裏面と前記情報媒体の前記裏表紙の表面との間に通し、
前記情報媒体の前記表紙側に通すようにして前記情報媒体を閉じるとともに前記覆い部を前記情報媒体に装着して形成される、
請求項１に記載のブックカバー。
【請求項４】
前記第１の孔部を貫通して前記覆い部の裏面に沿った前記第１の伸縮バンドの部分と、前記第２の孔部を貫通して前記覆い部の裏面に沿った前記第１の伸縮バンドの部分と、を反対方向に２つに分岐させ、
前記２つに分岐された前記第１の伸縮バンドを前記覆い部の裏面と前記情報媒体の前記表紙の表面との間に通し、
前記情報媒体の隣接するシートの間に通して目印を付けるとともに前記覆い部を前記情報媒体に装着して形成され、
または、
前記第３の孔部を貫通して前記覆い部の裏面に沿った前記第２の伸縮バンドの部分と、前記第４の孔部を貫通して前記覆い部の裏面に沿った前記第２の伸縮バンドの部分と、を反対方向に２つに分岐させ、
前記情報媒体の隣接するシートの間に通して目印を付けるとともに前記覆い部を前記情報媒体に装着して形成される、
請求項１に記載のブックカバー。
【請求項５】
前記第１の孔部を貫通して前記覆い部の表面に沿った前記第１の伸縮バンドの部分と、前記第２の孔部を貫通して前記覆い部の表面に沿った前記第１の伸縮バンドの部分と、を反対方向に２つに分岐させ、
前記情報媒体の前記表紙の裏面側に通すようにして前記覆い部を前記情報媒体に装着して形成され、
または、
前記第３の孔部を貫通して前記覆い部の表面に沿った前記第２の伸縮バンドの部分と、前記第４の孔部を貫通して前記覆い部の表面に沿った前記第２の伸縮バンドの部分と、を反対方向に２つに分岐させ、
前記情報媒体の前記裏表紙の裏面側に通すようにして前記覆い部を前記情報媒体に装着して形成される、
請求項１に記載のブックカバー。
【請求項６】
前記覆い部は、屈曲性を有する材料で形成され、前記孔部の周辺に補強手段が設けられる、請求項１に記載のブックカバー。
【請求項７】
前記覆い部は、屈曲性を有する普通紙で形成され、前記孔部の周辺に補強手段として鳩目が設けられる、請求項６に記載のブックカバー。
【請求項８】
前記伸縮バンドは、その一部が伸縮部材で形成される、請求項１に記載のブックカバー。
【請求項９】
前記伸縮バンドは、扁平形状とされる、ゴムまたは合成ゴムで形成される、請求項１に記載のブックカバー。
【手続補正書】
【提出日】平成22年2月5日(2010.2.5)
【手続補正１】
【補正対象書類名】実用新案登録請求の範囲
【補正対象項目名】全文
【補正方法】変更
【補正の内容】
【実用新案登録請求の範囲】
【請求項１】
複数枚のシートを重ねて背の部分で綴じ合わせた前記複数枚のシートの両面に表紙と裏表紙とを配置して前記背の部分とは反対側の前小口が開閉できるようにして形成される情報媒体を覆う、ブックカバーであって、
前記情報媒体の前記表紙の表面と前記背の部分と前記裏表紙の表面とを覆い、前記表紙の前小口で前記表紙の裏面に折り返し、前記裏表紙の前小口で前記裏表紙の裏面に折り返すことができるようにした、覆い部と、
伸縮可能な伸縮バンドと、を備え、
前記覆い部は、
前記情報媒体の前記表紙の表面を覆う部分に離間して形成される第１の孔部および第２の孔部、または、前記情報媒体の前記裏表紙の表面を覆う部分に離間して形成される第３の孔部および第４の孔部、のいずれかの一方、または、その両方を有し、
前記伸縮バンドは、
前記第１の孔部および前記第２の孔部を貫通して可動自在とされるリング形状に形成される第１の伸縮バンド、または、前記第３の孔部および前記第４の孔部を貫通して可動自在とされるリング形状に形成される第２の伸縮バンド、のいずれかの一方、または、その両方を有する、
ブックカバー。
【請求項２】
前記第１の孔部を貫通して前記覆い部の裏面に沿った前記第１の伸縮バンドの部分と、前記第２の孔部を貫通して前記覆い部の裏面に沿った前記第１の伸縮バンドの部分と、を反対方向に２つに分岐させ、
前記２つに分岐された前記第１の伸縮バンドを前記覆い部の裏面と前記情報媒体の前記表紙の表面との間に通し、
前記情報媒体の前記表紙の裏面側に通すようにして前記覆い部を前記情報媒体に装着して形成され、
または、
前記第３の孔部を貫通して前記覆い部の裏面に沿った前記第２の伸縮バンドの部分と、前記第４の孔部を貫通して前記覆い部の裏面に沿った前記第２の伸縮バンドの部分と、を反対方向に２つに分岐させ、
前記２つに分岐された前記第２の伸縮バンドを前記覆い部の裏面と前記情報媒体の前記裏表紙の表面との間に通し、
前記情報媒体の前記裏表紙の裏面側に通すようにして前記覆い部を前記情報媒体に装着して形成される、
請求項１に記載のブックカバー。
【請求項３】
前記第１の孔部を貫通して前記覆い部の裏面に沿った前記第１の伸縮バンドの部分と、前記第２の孔部を貫通して前記覆い部の裏面に沿った前記第１の伸縮バンドの部分と、を反対方向に２つに分岐させ、
前記２つに分岐された前記第１の伸縮バンドを前記覆い部の裏面と前記情報媒体の前記表紙の表面との間に通し、
前記情報媒体の前記裏表紙側に通すようにして前記情報媒体を閉じるとともに前記覆い部を前記情報媒体に装着して形成され、
または、
前記第３の孔部を貫通して前記覆い部の裏面に沿った前記第２の伸縮バンドの部分と、前記第４の孔部を貫通して前記覆い部の裏面に沿った前記第２の伸縮バンドの部分と、を反対方向に２つに分岐させ、
前記２つに分岐された前記第２の伸縮バンドを前記覆い部の裏面と前記情報媒体の前記裏表紙の表面との間に通し、
前記情報媒体の前記表紙側に通すようにして前記情報媒体を閉じるとともに前記覆い部を前記情報媒体に装着して形成される、
請求項１に記載のブックカバー。
【請求項４】
前記第１の孔部を貫通して前記覆い部の裏面に沿った前記第１の伸縮バンドの部分と、前記第２の孔部を貫通して前記覆い部の裏面に沿った前記第１の伸縮バンドの部分と、を反対方向に２つに分岐させ、
前記２つに分岐された前記第１の伸縮バンドを前記覆い部の裏面と前記情報媒体の前記表紙の表面との間に通し、
前記情報媒体の隣接するシートの間に通して目印を付けるとともに前記覆い部を前記情報媒体に装着して形成され、
または、
前記第３の孔部を貫通して前記覆い部の裏面に沿った前記第２の伸縮バンドの部分と、前記第４の孔部を貫通して前記覆い部の裏面に沿った前記第２の伸縮バンドの部分と、を反対方向に２つに分岐させ、
前記情報媒体の隣接するシートの間に通して目印を付けるとともに前記覆い部を前記情報媒体に装着して形成される、
請求項１に記載のブックカバー。
【請求項５】
前記第１の孔部を貫通して前記覆い部の表面に沿った前記第１の伸縮バンドの部分と、前記第２の孔部を貫通して前記覆い部の表面に沿った前記第１の伸縮バンドの部分と、を反対方向に２つに分岐させ、
前記情報媒体の前記表紙の裏面側に通すようにして前記覆い部を前記情報媒体に装着して形成され、
または、
前記第３の孔部を貫通して前記覆い部の表面に沿った前記第２の伸縮バンドの部分と、前記第４の孔部を貫通して前記覆い部の表面に沿った前記第２の伸縮バンドの部分と、を反対方向に２つに分岐させ、
前記情報媒体の前記裏表紙の裏面側に通すようにして前記覆い部を前記情報媒体に装着して形成される、
請求項１に記載のブックカバー。
【請求項６】
前記覆い部は、屈曲性を有する材料で形成され、
前記第１の孔部の周辺および前記第２の孔部の周辺、または、前記第３の孔部の周辺および前記第４の孔部の周辺、に補強手段が設けられる、請求項１に記載のブックカバー。
【請求項７】
前記覆い部は、屈曲性を有する普通紙で形成され、
前記第１の孔部の周辺および前記第２の孔部の周辺、または、前記第３の孔部の周辺および前記第４の孔部の周辺、に補強手段として鳩目が設けられる、請求項６に記載のブックカバー。
【請求項８】
前記伸縮バンドは、その一部が伸縮部材で形成される、請求項１に記載のブックカバー。
【請求項９】
前記伸縮バンドは、扁平形状とされる、ゴムまたは合成ゴムで形成される、請求項１に記載のブックカバー。